(57)【要約】【課題】係止部材がケース内部に向かって変位した後の状態であっても、解除釦とロック用爪とをケース内部に向かって変位させることによって、引掛シーリングに着脱可能な引掛シーリングアダプタを提供する。【解決手段】端片８５は、係止部材５が第一の状態であり、かつ、解除釦８３が第二の位置にあるときに、第二の状態であるときの係止部材５の位置にあって、係止部材５が第一の状態から第二の状態になるように変位することを妨げる。変形部８４は、解除釦８３と端片８５とを繋いでいる。端片８５は、解除釦８３が第一の位置にあるとき、解除釦８３に対して、第二の位置側に設けられている。係止部材５が第二の状態にあるときに、解除釦８３が第一の位置から第二の位置へ変位する場合に、端片８５は係止部材５に接し、変形部８４は、解除釦８３から端片８５までの距離を短くするように変形する。【選択図】図１
2017228402.tif 000002
【特許請求の範囲】
【請求項１】
ケースと、
前記ケースの底面から外側へ突出しており、電力が供給される配線に電気的に接続されている引掛シーリングに差し込まれてから回転することで前記引掛シーリングに着脱可能に固定される複数の引掛刃と、
一部が前記ケースの側面から前記ケースの外側へ突出する第一の状態と、前記第一の状態であるときよりも前記一部が前記ケースの前記側面側に位置する第二の状態との間で変位するように構成されており、前記第一の状態で照明器具に設けられている被係止部に引っ掛かることにより、前記照明器具を前記ケースに着脱可能に固定する少なくとも１つの係止部材と、
前記ケースに組み込まれたロック機構と、を備え、
前記ロック機構は、
前記ケースの前記底面から外側へ突出することにより、前記引掛シーリングに固定された前記複数の引掛刃が前記引掛シーリングに対して回転することを規制し、力を加えられて前記ケースの内側へ変位するロック用爪と、
前記ロック用爪が前記ケースの前記底面から外側へ突出しているとき、第一の位置にあり、前記ロック用爪が前記ケースの内側に引っ込んでいるとき、前記第一の位置よりも前記ケースの内に向かう側の第二の位置にあり、前記第一の位置と前記第二の位置との間で前記ロック用爪と連動して変位する解除釦と、
前記係止部材が前記第一の状態であり、かつ、前記解除釦が前記第二の位置にあるときに、前記第二の状態であるときの前記係止部材の位置にあって、前記係止部材が前記第一の状態から前記第二の状態になるように変位することを妨げる少なくとも１つの端片と、
前記解除釦と前記端片とを繋いでいる少なくとも１つの変形部と、を有し、
前記端片は、前記解除釦が前記第一の位置にあるとき、前記解除釦に対して、前記第二の位置側に設けられており、
前記係止部材が前記第二の状態にあるときに、前記解除釦が前記第一の位置から前記第二の位置へ変位する場合に、前記端片は前記係止部材に接し、前記変形部は、前記解除釦から前記端片までの距離を短くするように変形する
ことを特徴とする引掛シーリングアダプタ。
【請求項２】
前記ケースの内部において、前記ケースの前記底面の中心を含む領域に設けられており、前記照明器具に接続して給電するコネクタ部を更に備え、
前記係止部材を２つ備え、
前記２つの係止部材は、前記ケースの中心を挟んで互いに向かい合って設けられており、
前記ロック機構は前記端片を２つ備え、
前記解除釦が前記第二の位置にあるときに、前記２つの端片の各々は、前記第二の状態であるときの対応する係止部材の位置にあって、
前記ロック機構は前記変形部を２つ備え、
前記２つの変形部の各々は、対応する端片と前記解除釦とを繋いでおり、前記対応する係止部材が前記第二の状態にあるときに、前記解除釦が前記第一の位置から前記第二の位置へ変位する場合、前記解除釦から前記対応する端片までの距離を短くするように変形する
ことを特徴とする請求項１記載の引掛シーリングアダプタ。
【発明の詳細な説明】
【技術分野】
【０００１】
本発明は、電力が供給される配線に電気的に接続されている引掛シーリングに接続される引掛シーリングアダプタに関する。
【背景技術】
【０００２】
従来例として特許文献１記載の取付アダプタ（引掛シーリングアダプタ）を例示する。特許文献１記載の取付アダプタでは、リリースボタン（解除釦）に力が加わっていないとき、ロック片（ロック用爪）がボディー上面（底面）から突出する。これにより、取付アダプタはシーリングコンセント（引掛シーリング）に対してロックされる。一方、リリースボタンが押圧されていると、ロック片がボディー上面からボディー（器体）内部に没入する。これにより、取付アダプタは、シーリングコンセントに対して着脱可能なロック解除状態になる。互いに向かい合って設けられている２つの係止爪（係止部材）は、リリースボタンに力が加わっていないとき、外力により、ボディーの中心に向かってボディー内へ押し込まれる。リリースボタンに力が加わっている状態において、リリースボタンの伸長部は２つの係止爪の間に入り込んで、２つの係止爪がボディー内へ押し込まれることを規制する。
【先行技術文献】
【特許文献】
【０００３】
【特許文献１】特開２０１２−１６０４００号公報
【発明の概要】
【発明が解決しようとする課題】
【０００４】
しかしながら、上記の取付アダプタでは、係止爪がボディー内に押し込まれている状態において、リリースボタンをボディー内に向かって変位させようとすると、ロック機構の伸長部が係止爪に干渉する。このため、上記の状態において、リリースボタンをボディー内へ変位させて取付アダプタをロック解除状態にできないという問題があった。
【０００５】
本発明は、係止部材がケース内部に向かって変位した後の状態であっても、解除釦とロック用爪とをケース内部に向かって変位させることによって、引掛シーリングに着脱可能な引掛シーリングアダプタを提供することを目的とする。
【課題を解決するための手段】
【０００６】
上記の課題を解決するために、本発明の一態様に係る引掛シーリングアダプタは、ケースと、複数の引掛刃と、少なくとも１つの係止部材と、ロック機構と、を備える。前記複数の引掛刃は、前記ケースの底面から外側へ突出している。前記複数の引掛刃は、電力が供給される配線に電気的に接続されている引掛シーリングに差し込まれてから回転することで前記引掛シーリングに着脱可能に固定される。前記係止部材は、一部が前記ケースの側面から前記ケースの外側へ突出する第一の状態と、前記係止部材が前記第一の状態であるときよりも前記一部が前記ケースの前記側面側に位置する第二の状態との間で変位するように構成されている。前記係止部材は、前記第一の状態で照明器具に設けられている被係止部に引っ掛かることにより、前記照明器具を前記ケースに着脱可能に固定する。前記ロック機構は、前記ケースに組み込まれている。前記ロック機構は、ロック用爪と、解除釦と、少なくとも１つの端片と、少なくとも１つの変形部と、を有する。前記ロック用爪は、前記ケースの前記底面から外側へ突出することにより、前記引掛シーリングに固定された前記複数の引掛刃が前記引掛シーリングに対して回転することを規制する。前記ロック用爪は、力を加えられて前記ケースの内側へ変位する。前記解除釦は、前記ロック用爪が前記ケースの前記底面から外側へ突出しているとき、第一の位置にある。前記解除釦は、前記ロック用爪が前記ケースの内側に引っ込んでいるとき、前記第一の位置よりも前記ケースの内に向かう側の第二の位置にある。前記解除釦は、前記第一の位置と前記第二の位置との間で前記ロック用爪と連動して変位する。前記端片は、前記係止部材が前記第一の状態であり、かつ、前記解除釦が前記第二の位置にあるときに、前記第二の状態であるときの前記係止部材の位置にあって、前記係止部材が前記第一の状態から前記第二の状態になるように変位することを妨げる。前記変形部は、前記解除釦と前記端片とを繋いでいる。前記端片は、前記解除釦が前記第一の位置にあるとき、前記解除釦に対して、前記第二の位置側に設けられている。前記係止部材が前記第二の状態にあるときに、前記解除釦が前記第一の位置から前記第二の位置へ変位する場合に、前記端片は前記係止部材に接し、前記変形部は、前記解除釦から前記端片までの距離を短くするように変形する。
【発明の効果】
【０００７】
本発明の一態様に係る引掛シーリングアダプタにおいて、ロック機構は変形部を有する。変形部は、ロック機構の解除釦からロック機構の端片までの距離を短くするように変形する。したがって、係止部材がケース内部に向かって変位した後の状態であっても、解除釦とロック用爪とをケース内部に向かって変位させることによって、引掛シーリングアダプタを引掛シーリングに着脱することができる。
【図面の簡単な説明】
【０００８】
【図１】図１は、本発明の一実施形態に係る引掛シーリングアダプタにおいて係止部材がケース内部に向かって変位した状態の内部を下方から見たときの平面図である。
【図２】図２は、同上の引掛シーリングアダプタにおいて、係止部材がケース内部に向かって変位した後に、解除釦がケース内部に向かって変位した状態の内部を下方から見たときの平面図である。
【図３】図３は、同上の引掛シーリングアダプタにおいて解除釦がケース内部に向かって変位した状態の内部を下方から見たときの平面図である。
【図４】図４は、同上の引掛シーリングアダプタの分解図である。
【図５】図５は、同上の引掛シーリングアダプタの内部及び引掛シーリングの下方から見た斜視図である。
【図６】図６は、同上の引掛シーリングアダプタの下方から見た斜視図である。
【図７】図７は、同上の引掛シーリングアダプタの上方から見た斜視図である。
【図８】図８は、同上の引掛シーリングアダプタにおいて照明器具へ取り付けられた状態の断面図である。
【発明を実施するための形態】
【０００９】
以下、本発明の実施形態に係る引掛シーリングアダプタについて、図面を用いて説明する。本実施形態の引掛シーリングアダプタ１は、図６に示すように、ケース３と、コネクタ部４と、を備えている。引掛シーリングアダプタ１は、図４に示すように、２つの係止部材５と、ばね部６と、２つの操作部７と、ロック機構８と、複数（２つ）の引掛刃９と、を更に備えている。引掛シーリングアダプタ１は、２つの引掛刃９によって、図５に示す天井側の引掛シーリング１００に着脱可能に固定される。また、ケース３は、図８に示すように、２つの係止部材５によって、照明器具２００を着脱可能に固定する。なお、図５ではカバー３１及びロック機構８のコイルばね８２を省略している。
【００１０】
図６に示すように、ケース３は、器体２と、カバー３１とを備えている。器体２は、合成樹脂などの絶縁材料により形成されている。図７に示すように、器体２は有底円筒状に形成されており、円形の底面２０と、底面２０の周縁から立ち上がる側面２１とを有している。器体２において底面２０に向かい合う端は、円形の開口面２３になっている（図４参照）。図６に示すように、カバー３１は円板状に形成されている。カバー３１は、器体２の開口面２３を塞いだ状態で、２つのねじ３２を用いて器体２に固定されている。器体２は、底面２０を天井側に、開口面２３を床側に向けた状態で天井側の引掛シーリング１００に取り付けられる。以後、特に断りのない限り、器体２の底面２０側を引掛シーリングアダプタ１の上側と規定し、器体２の開口面２３側を引掛シーリングアダプタ１の下側と規定する。また、器体２の円形の底面２０における径方向の外向き及び内向きを、引掛シーリングアダプタ１の外向き及び内向きと規定する。
【００１１】
コネクタ部４は、図８に示すように、照明器具２００のコネクタ２０１が接続される。コネクタ２０１には、照明器具２００に給電するための２条のケーブル２０２が取り付けられている。図５に示すように、コネクタ部４は、器体２の内部において、底面２０の中心を含む領域に設けられている。コネクタ部４は、器体２と一体に形成されている嵌合体４０と、金属製の２つの端子４１とを含む。各端子４１は、対応する固定片４３と一体に形成されている（図４参照）。嵌合体４０は、底面２０から垂直に、下向きに突出するように設けられていて、角筒状に形成されている。嵌合体４０は、図６に示すように、カバー３１に設けられている孔３３を通過して、ケース３から下向きに突出している。また、図５に示すように、嵌合体４０は、上下方向に沿った、互いに向かい合う２つの開口４２を有している。２つの端子４１は矩形板状に形成されている。２つの端子４１は、嵌合体４０の内側に、底面２０に対して垂直に立てられた状態で、横に並んで設けられている。２つの固定片４３は平板状の金属であって、ねじ４４を用いて底面２０に固定されている。各固定片４３は、対応する端子４１に開口４２を通じて繋がっている。また、各固定片４３は、対応する引掛刃９と一体に形成されている（図４参照）。また、器体２の底面２０において、嵌合体４０の外側には、２つの突出部２８１と、２つの突出部２８２が設けられている。突出部２８１、２８２は、底面２０から下向きに突出している。
【００１２】
２つの係止部材５はそれぞれ、本体部５０と、本体部５０から突出するように設けられている突部５１とを有している。本体部５０と突部５１とは一体に形成されている。本体部５０は略矩形平板状であり、本体部５０の一の縁５２（一部）の形状は、器体２の側面２１に沿った円弧状である。係止部材５は、本体部５０の一の縁５２が、側面２１に設けられている孔２６（図４参照）を通して器体２の外側へ突出した状態で、器体２の内部に組み込まれている。２つの係止部材５は、器体２の中心を挟んで互いに向かい合った状態で器体２に組み込まれている。突部５１は、本体部５０において一の縁５２とは反対側の縁から、器体２の径方向の中心に位置するコネクタ部４に向かって突出している。突部５１は、ばね係止部５３と、操作部７がはめ込まれている凸状部５４とを含む。本体部５０、ばね係止部５３、凸状部５４は、器体２の径方向の外側から内側へ、この順に並んで設けられている。ばね係止部５３は、本体部５０と凸状部５４とに挟まれた溝状である。つまり、ばね係止部５３は、本体部５０及び凸状部５４に対して下面が窪んでいる。ばね係止部５３には、ばね部６が組み込まれている。また、本体部５０からは、ばね係止片５５が突部５１側へ突出している。凸状部５４は、下面中央付近において下向きに突出した嵌合部５６を有している。係止部材５の上面には、本体部５０から突部５１まで一続きの溝５７が設けられている。溝５７は器体２の径方向に長尺である。溝５７は、ばね係止部５３において下面へ開口している。係止部材５は、器体２の底面２０から下向きに突出して設けられている凸片３０５（図４参照）を溝５７の内側に通しながら、器体２の径方向に変位する。係止部材５が器体２の径方向の外向きに変位し続けると、溝５７の図示しない終端部分が凸片３０５に当たるので、係止部材５はそれ以上外向きに変位できない。図３、図５に示すように、係止部材５が凸片３０５に沿って器体２の径方向について変位し得る中で最も外側に位置しているとき、本体部５０の一の縁５２が、器体２の側面２１から器体２の外側へ突出している。このとき、係止部材５は第一の状態であると規定する。いま、解除釦８３は後述のように（すなわち、図１に示すように）第一の位置にあるとする。この状態で、係止部材５は、ガイドリブに沿って器体２の径方向の内向きに変位していく。すると、図１に示すように、各係止部材５は、器体２の径方向について内側の端が、器体２の底面２０に設けられている対応する突出部２８１、２８２に当たり、係止部材５は変位が規制される。このとき、係止部材５は第二の状態であると規定する。係止部材５が第二の状態のとき、係止部材５の一の縁５２は、上下方向から見て器体２の側面２１と略重なる。なお、図１、図２、図３では、操作部７、カバー３１及びロック機構８のコイルばね８２を省略している。
【００１３】
ばね部６としてはねじりばねが用いられている。図５に示すように、ばね部６はステンレス鋼などからなる１本の線材からなる。ばね部６は、中央部分６０がコイル巻きされていて、全体として半円弧状に形成されている。ばね部６は器体２の内部に組み込まれている。具体的には、底面２０から下向きに突出して設けられている円筒状のボス部２４の外側に、ばね部６のコイル巻きされている中央部分６０が掛けられている。ボス部２４は、器体２の側面２１付近に設けられている。また、ボス部２４は、ボス部２４から見た２つの係止部材５の位置が対称となる位置に組み込まれている。さらに、ばね部６は、両端が器体２の中心に寄るようにコイルがねじられた状態で、両端付近がそれぞれ対応する係止部材５のばね係止部５３の下面に接した状態で組み込まれている。より詳細には、ばね部６の両端付近は、上側に位置するばね係止部５３と、下側に位置するばね係止片５５との間の位置に組み込まれている。係止部材５は、ばね部６によって、器体２の径方向の外向きの作用を受けている。そのため、係止部材５は、外部から力が加えられていないとき、本体部５０の一の縁５２が、器体２の側面２１から器体２の外側へ突出していて、第一の状態である。
【００１４】
２つの操作部７はそれぞれ、２つの係止部材５の両方に噛み合う連結片７０と、操作部７に外部から力を加えて対応する１つの係止部材５を操作するための操作片７１とを有している。連結片７０は、平面視Ｃ字状に形成されている。図４に示すように、連結片７０の第一端７２は、係止部材５の本体部５０の下面に設けられているＣ字状の溝に噛み合うように、Ｃ字状に形成されている。第一端７２とは反対側の端である、連結片７０の第二端７３には、係止部材５の凸状部５４に噛み合うように、上側に溝７４が設けられている。また、第二端７３には、操作片７１が連結片７０と一体に設けられている。操作片７１は、連結片７０の下面から突出するように設けられている。図６に示すように、操作片７１は、カバー３１に設けられている孔３３を通って、ケース３の内部の空間から下向きに突出している。２つの操作部７は同じ形状であり、図５に示すように、互いに器体２の中心に対して点対称に配置されている。２つの操作部７は、それぞれが、第一端７２側の係止部材５及び第二端７３側の係止部材５に噛み合うように、２つの係止部材５に接している。１つの操作部７の操作片７１が、器体２の径方向の外向きに変位するように操作されると、連結片７０は、第一端７２側で接している１つの係止部材５に作用して、当該係止部材５は、内向きに変位して第二の状態になる。
【００１５】
ロック機構８は、図４に示すように、可動体８１と、コイルばね８２と、解除釦８３と、２つの変形部８４と、２つの端片８５と、を有している。可動体８１、解除釦８３及び端片８５は、合成樹脂などにより形成されている。
【００１６】
解除釦８３は、外部から力が加えられる矩形平板状の押圧面８３０を含む。押圧面８３０の上下方向に沿った２辺からは、２つの側板８３５が押圧面８３０に対して垂直に一体形成されている。２つの側板８３５は、互いに向かい合う側の面に、側板８３５から突出した突部８３６を有している。２つの側板８３５には、それぞれ変形部８４が繋がっている。押圧面８３０の下辺からは、矩形平板状の下面８３７が延びている。下面８３７は、押圧面８３０及び２つの側板８３５と一体に形成されている。下面８３７は、押圧面８３０に対して２つの側板８３５が延びている向きと同じ向きに、押圧面８３０から延びている。
【００１７】
２つの変形部８４の各々は、図１に示すように、一の点８４０で角度Ａ１又はＡ２で折れ曲がっている線状に形成されている。各変形部８４の一端には、解除釦８３の対応する側板８３５が繋がっている。また、各変形部８４の他端には、対応する端片８５が繋がっている。２つの変形部８４は、合成樹脂などによって２つの端片８５及び解除釦８３と一体に形成されている。各変形部８４は、対応する端片８５及び解除釦８３により器体２の径方向に挟まれる向きに力を加えられることにより、図２に示すように、一の点８４０において当該変形部８４が為す角度Ａ１又はＡ２が小さくなるように更に屈曲して、弾性変形する。これによって、解除釦８３から、各変形部８４に対応する端片８５までの距離Ｌ１、Ｌ２が短くなる。また、各変形部８４は、対応する端片８５及び解除釦８３により器体２の径方向に挟まれる向きの力が取り除かれると、変形部８４の弾性により元の形状に戻る。これによって、各変形部８４に対応する端片８５までの距離Ｌ１、Ｌ２は、元の長さに戻る。
【００１８】
なお、２つの変形部８４は、解除釦８３及び２つの端片８５とは別々に形成された後にそれぞれ取り付けられていてもよい。また、各変形部８４は、少なくとも１つの端片８５及び解除釦８３に繋がっていればよい。また、変形部８４の形状は、１点で折れ曲がっている線状に限定されない。例えば変形部８４の形状は、１又は複数の点で折れ曲がっている線状又は板状であってもよいし、解除釦８３から各変形部８４に対応する端片８５までの距離Ｌ１、Ｌ２が変化するように伸縮するばね構造であってもよい。
【００１９】
解除釦８３は、図１に示すように、器体２の側面２１に設けられている孔８３１（図４参照）を押圧面８３０が塞いでいて、２つの側板８３５が器体２の内側に位置した状態で、器体２に組み込まれている。このときの解除釦８３の位置を、第一の位置と規定する。解除釦８３は、器体２の中心を挟んでボス部２４に向かい合っている。また、解除釦８３は、解除釦８３から見た２つの係止部材５の位置が対称となる位置に組み込まれている。解除釦８３、変形部８４及び端片８５は、器体２の径方向の外側から内側へ、この順に並んで設けられている。解除釦８３は、器体２の内部に設けられているガイドリブ３０３（図４参照）に沿って、器体２の径方向にのみ変位する。第一の位置は、解除釦８３が器体２の径方向について変位する中で最も外側の位置である。図３に示すように、係止部材５が第一の状態であるときに、解除釦８３が内向きに変位すると、遂には器体２に設けられている突出部２９に押圧面８３０が当たって、解除釦８３は、内向きの変位が規制される。このときの、解除釦８３が器体２の径方向について変位する中で最も内側の位置（図３における解除釦８３の位置）を、第二の位置と規定する。解除釦８３が第二の位置にあるとき、解除釦８３の押圧面８３０は、器体２の内部に位置する。一方で、解除釦８３の第一の位置は、図１に示すように、平面視において器体２の側面２１上にある。したがって、第二の位置は、第一の位置よりもケース３（図６参照）の内に向かう側にある。上述の通り、解除釦８３が第一の位置にあるとき、解除釦８３、変形部８４及び端片８５は、器体２の径方向の外側から内側へ、この順に位置する。したがって、端片８５は、解除釦８３が第一の位置にあるとき、解除釦８３に対して、第二の位置側に設けられている。また、係止部材５が第一の状態であって、解除釦８３が径方向に変位するとき、解除釦８３に繋がっている変形部８４と、変形部８４に繋がっている端片８５とは、図３に示すように、解除釦８３とともに器体２の径方向に変位する。各端片８５は、コネクタ部４の嵌合体４０の外側に設けられている対応する突出部２８１に沿って変位する。係止部材５が第二の状態であって、解除釦８３が第一の位置にあるとき、図１に示すように、各端片８５は、対応する係止部材５の突部５１に対してやや離れて、当該突部５１に向き合っている。
【００２０】
図４に示すように、可動体８１は、上下方向に長い略直方体状である。図７に示すように、可動体８１は、上端にロック用爪８０を有している。図５に示すように、可動体８１は、上下方向に沿った向かい合う一対の側面８６にそれぞれ溝８７（１つのみを図示）を有している。２つの溝８７はそれぞれ一様な幅の溝であり、側面８６を平面視したときに、上下方向及び上下方向に垂直な左右方向に対して傾斜している。また、一方の側面８６の溝８７と、これに向かい合う他方の側面８６の溝８７とは、平面視において上下方向を軸に鏡像反転した形状である。可動体８１は、下面に丸穴８８を有している。丸穴８８には、コイルばね８２（図４参照）が挿入されている。ロック用爪８０は、図７に示すように、互いに向かい合う一対の略直角三角形の側面を有する柱状である。つまり、ロック用爪８０は、上から下に向かって傾斜した傾斜面８９を有している。
【００２１】
図５に示すように、解除釦８３の２つの側板８３５の間の空間には、可動体８１が挿入されており、可動体８１の２つの溝８７の各々には、解除釦８３の対応する突部８３６（図１、図４参照）が挿入されている。すなわち、可動体８１は、一対の側面８６が器体２の径方向に沿うように組み込まれている。また、側面８６に設けられている溝８７は、器体２の径方向の外側ほど下方に位置するように傾斜している。また、可動体８１は、器体２に設けられている突出部２９（図４参照）、ガイドリブ３０３、３０８（図４参照）に沿って、上下方向にのみ変位する。解除釦８３が第一の位置にあるとき、ロック用爪８０は、図７に示すように、器体２の底面２０に設けられている孔２７（図４参照）を突き抜けて、器体２の外側へ（上向きに）突出している。可動体８１に挿入されているコイルばね８２（図４参照）は、ロック用爪８０が器体２の底面２０から外側へ突出した状態となるように可動体８１（図５参照）に作用している。
【００２２】
２つの引掛刃９は、器体２に固定されており、器体２の底面２０に設けられている孔２５から、器体２の外側へ（上向きに）突出するように設けられている。引掛刃９は、底面２０から上向きに立ち上がる鉛直部９１と、鉛直部９１の上端から、器体２の径方向の内向きに延びる引掛爪９２とを備えている。つまり、引掛刃９は、Ｌ字状に一体形成されている。また、引掛刃９は導電性の金属材料から形成されている。さらに、引掛刃９は、固定片４３を介して端子４１に導通している。
【００２３】
引掛刃９が固定される引掛シーリング１００は、図５に示すように、直方体状に形成されている。引掛シーリング１００は、器体２に向かい合う下面１０４に２つの引掛穴１０１を有している。各引掛穴１０１は、引掛刃９の鉛直部９１（図７参照）よりもわずかに幅広な円弧状の穴１０２と、引掛刃９の引掛爪９２（図７参照）よりもわずかに幅広な挿入穴１０３とを含む。挿入穴１０３は穴１０２に繋がっている。引掛シーリング１００には、商用電源などから電力が供給される配線１１０が接続されている。引掛刃９は、引掛シーリング１００の引掛穴１０１に挿入されることにより、配線１１０から供給される電力を受電する。
【００２４】
照明器具２００は、図８に示すように、ホルダ２０３を備えている。ホルダ２０３は、例えば合成樹脂成型品からなる。ホルダ２０３は、平面視長円形状の板状に形成された枠部２０４と、枠部２０４の長円形状の面の中央から、枠部２０４に対して垂直な上下方向に突出している円筒状の嵌合部材２０５とを備えている。枠部２０４は、嵌合部材２０５が突出している部分の内側が円形に開口した略環状に形成されている。つまり、ホルダ２０３には円形の開口２０６が設けられており、開口２０６は、嵌合部材２０５の上端から枠部２０４を貫通して嵌合部材２０５の下端まで続いている。嵌合部材２０５の内側（開口２０６側）には、上端付近に傾斜面２０７が設けられており、傾斜面２０７において、嵌合部材２０５の内径は下方ほど小さくなっている。嵌合部材２０５の内側面において、傾斜面２０７の下方には、被係止部２０８が設けられている。被係止部２０８は溝であり、嵌合部材２０５の内側面のうち被係止部２０８の上下に位置する面に対して、開口２０６の径方向の外側へ窪んでいる。
【００２５】
図７に示す解除釦８３及びロック用爪８０は、解除釦８３及び可動体８１のカム機構により連動して変位する。以下、カム機構について説明する。２つの係止部材５は、図７に示すように、第一の状態であるとする。解除釦８３が径方向へ変位するとき、解除釦８３の突部８３６（図１、図２、図４参照）の各々は、可動体８１の対応する溝８７（図５参照）を通過することで可動体８１に作用して、可動体８１を上下方向に変位させる。また、同様の機構により、可動体８１が上下方向に変位するとき、解除釦８３は径方向に変位する。より詳細には、可動体８１が、コイルばね８２（図４参照）の作用に抗して下向きに変位するのに連動して、解除釦８３は、内向きに変位する。これにより、ロック用爪８０が器体２の内側へ引っ込んでいるとき、解除釦８３は第二の位置にある。また、可動体８１が上向きに変位するのに連動して、解除釦８３は外向きに変位する。これにより、ロック用爪８０が器体２の外側に突出しているとき、解除釦８３は第一の位置にある。また、解除釦８３が第二の位置や、第一の位置と第二の位置との間の位置にあるときに、器体２の外側からロック用爪８０及び解除釦８３を押している外部からの力を取り除くと、コイルばね８２の作用により、可動体８１は上向きに変位する。これにより、ロック用爪８０は底面２０から外側へ突出して、解除釦８３は第一の位置に移動する。
【００２６】
上記の通り、２つの係止部材５の一の縁５２が、図３に示すように、器体２の外側に突出する位置にあって、２つの係止部材５が第一の状態であるときは、解除釦８３を内向きに、第二の位置まで変位させることができる。一方で、図３に示すように、解除釦８３が第二の位置にあるときは、係止部材５を変位して第二の状態にすることができない。各係止部材５を内向きに変位していく際、第二の状態になる前に、各係止部材５の突部５１が、解除釦８３に繋がった対応する端片８５に当たって、それ以上内向きに変位することができないためである。また、解除釦８３が第一の位置にあるときは、図１に示すように、係止部材５を内向きに変位して第二の状態にすることができる。
【００２７】
また一方で、一方又は両方の係止部材５が第二の状態にあるときは、解除釦８３を第二の位置まで内向きに変位させることができる。以下、これについて説明する。図１に示すように、２つの係止部材５は第二の状態にあり、解除釦８３は、初めは第一の位置にあるとする。器体２の外側から解除釦８３の押圧面８３０が押されて、解除釦８３が器体２の径方向の内向きに変位すると、変形部８４及び端片８５もともに内向きに変位する。係止部材５が第二の状態にあるので、解除釦８３が第二の位置に到達する前に、いずれ各端片８５が対応する係止部材５に接する。このときの解除釦８３の位置を第三の位置とする。更に解除釦８３の押圧面８３０が押されると、変形部８４は、解除釦８３及び端片８５によって挟まれる向きに力を加えられて、図２に示すように、屈曲して変形する。これによって、解除釦８３から、各変形部８４に対応する端片８５までの距離Ｌ１、Ｌ２が短くなる。つまり、解除釦８３は、第三の位置に到達してからも更に内向きに変位することができる。解除釦８３の押圧面８３０が押され続けると、解除釦８３は第二の位置に到達する。解除釦８３が第二の位置に到達するとき、解除釦８３及び可動体８１のカム機構により、ロック用爪８０は器体２の内側へ引っ込んでいる。解除釦８３の押圧面８３０を内向きに押す力が取り除かれると、コイルばね８２の作用によって、解除釦８３は第一の位置に戻る。また、変形部８４の弾性によって、変形部８４は変形する前の形状に戻る。ロック用爪８０は、底面２０から外側へ突出する。以上の通り、ロック機構８が変形部８４を有していることにより、係止部材５が第二の状態であっても解除釦８３を第二の位置まで変位させることができる。
【００２８】
次に、引掛シーリング１００に引掛シーリングアダプタ１を取り付ける方法について、図５、図７を参照して説明する。取付作業を開始する際、解除釦８３は、外側から押されていないため第一の位置にあり、ロック用爪８０は、器体２の底面２０から外側へ突出している。まず、各引掛刃９は、引掛シーリング１００における対応する引掛穴１０１の挿入穴１０３に差し込まれる。その後、ケース３が周方向に回転させられるとともに、引掛刃９も円弧状の穴１０２に沿って回転して、引掛刃９は、挿入穴１０３とは反対側の端１０５まで移動する。ケース３が回転させられる過程で、ロック用爪８０の傾斜面８９は、引掛シーリング１００の下面１０４により下向きに押される。ロック用爪８０はコイルばね８２（図４参照）の作用に抗して下向きに変位して、器体２の内部に引っ込む。引掛刃９が引掛穴１０１における挿入穴１０３とは反対側の端１０５まで移動したとき、ロック用爪８０は、コイルばね８２の作用により底面２０から外側へ突出して、引掛シーリング１００の下面に設けられている挿入穴１０３に入り込む。ロック用爪８０及び引掛刃９が引掛シーリング１００の下面１０４に引っ掛かることにより、引掛シーリングアダプタ１は引掛シーリング１００に対して回転できなくなる。すなわち、引掛シーリングアダプタ１が引掛シーリング１００にロックされる。このとき、解除釦８３は第一の位置にある。引掛シーリングアダプタ１を引掛シーリング１００から取り外すときは、解除釦８３の押圧面８３０を押して解除釦８３を第二の位置へ変位させ、ロック用爪８０を器体２の内部へ引っ込めることにより、引掛シーリングアダプタ１を回転して取り外せる状態にする。
【００２９】
上記の要領で、引掛シーリングアダプタ１は引掛シーリング１００に着脱される。ところで、係止部材５の一の縁５２は、器体２の側面２１から孔２６（図４参照）を通して外部へ露出しているので、着脱操作の際に、係止部材５が握られて第二の状態となっている場合がある。また、引掛シーリングアダプタ１の着脱の際に、引掛シーリング１００の下面１０４によってロック用爪８０が下向きに押されて器体２の内部に引っ込むためには、ロック用爪８０とともに解除釦８３も変位して、第二の位置に至る必要がある。係止部材５が第二の状態であったとしても、解除釦８３の変位に伴って変形部８４が屈曲して変形することによって解除釦８３は第二の位置へ変位可能であるから、引掛シーリングアダプタ１を引掛シーリング１００に着脱することができる。
【００３０】
引掛シーリングアダプタ１が引掛シーリング１００に取り付けられた後に、照明器具２００は、図８に示すように、２つの係止部材５によってケース３に着脱可能に固定される。すなわち、照明器具２００は引掛シーリングアダプタ１に着脱可能に固定される。その取付方法について説明する。照明器具２００は、ホルダ２０３の開口２０６にケース３を挿入するようにケース３に向かって押し上げられる。器体２の側面２１の下側部分は、開口２０６に挿入される。このとき、係止部材５は、ばね部６（図５参照）の作用により器体２の外側に突出していて第一の状態である。係止部材５は、傾斜面２０７に接する。ここで、引掛シーリングアダプタ１は引掛シーリング１００に正常に取り付けられていて、解除釦８３は第一の位置にあるので、係止部材５は、内向きの力が加えられることによって内向きに変位して第二の状態になることが可能である。ホルダ２０３が押し上げられるに伴い、係止部材５は、傾斜面２０７によって内向きの力が加えられるので、第二の状態になるまで内向きに変位する。係止部材５が内向きに変位することによって、引掛シーリングアダプタ１は係止部材５における外径が小さくなるので、照明器具２００を更に押し上げて、ホルダ２０３の開口２０６に引掛シーリングアダプタ１を挿入することができる。係止部材５が被係止部２０８に到達すると、係止部材５は、ばね部６の作用により外側へ突出して第一の状態となり、被係止部２０８に引っ掛かった状態となる。この状態で、照明器具２００はケース３に固定される。さらに、照明器具２００のコネクタ２０１がコネクタ部４に接続される。照明器具２００を点灯するための電力は、配線１１０から引掛シーリング１００、引掛刃９、固定片４３、コネクタ部４の端子４１、及びコネクタ２０１を介して供給される。また、照明器具２００をケース３から取り外す際には、まず、照明器具２００のコネクタ２０１がコネクタ部４から取り外される。続いて、図６に示す引掛シーリングアダプタ１の下面のカバー３１から突出するように設けられている２つの操作片７１に、器体２の径方向の外向きに力を加える操作がされることによって、２つの係止部材５が内向きに変位して第二の状態になる。２つの操作片７１の操作が保たれたまま、照明器具２００が下向きに移動させられることにより、ケース３からホルダ２０３が取り外される。
【００３１】
なお、引掛シーリングアダプタ１の引掛シーリング１００への取付けが不完全であると、ロック用爪８０は、引掛シーリング１００の下面１０４に押されて、ケース３の内部に引っ込んでいる。この場合は、解除釦８３が第二の位置にあるので、係止部材５は内向きに変位して第二の状態になることができず、照明器具２００を引掛シーリングアダプタ１に取り付けることができない。これにより、引掛シーリングアダプタ１が引掛シーリング１００に不完全に固定されていることに作業者が気が付かないで、照明器具２００が引掛シーリングアダプタ１に取り付けられる事態の発生が抑制される。なお、照明器具２００はホルダ２０３を備えているものに限定されない。例えば、照明器具本体に係止部材５が引っ掛かり固定できる構成の照明器具であってもよい。
【００３２】
本実施形態に係る引掛シーリングアダプタ１は、上述の通り、ケース３と、複数の引掛刃９と、少なくとも１つの係止部材５と、ロック機構８と、を備える。複数の引掛刃９は、ケース３の底面２０から外側へ突出している。複数の引掛刃９は、電力が供給される配線１１０に電気的に接続されている引掛シーリング１００に差し込まれてから回転することで引掛シーリング１００に着脱可能に固定される。係止部材５は、一の縁５２（一部）がケース３の側面２１からケース３の外側へ突出する第一の状態と、係止部材５が第一の状態であるときよりも一の縁５２がケース３の側面２１側に位置する第二の状態との間で変位するように構成されている。係止部材５は、第一の状態で照明器具２００に設けられている被係止部２０８に引っ掛かることにより、照明器具２００をケース３に着脱可能に固定する。ロック機構８は、ケース３に組み込まれている。ロック機構８は、ロック用爪８０と、解除釦８３と、少なくとも１つの端片８５と、少なくとも１つの変形部８４と、を有する。ロック用爪８０は、ケース３の底面２０から外側へ突出することにより、引掛シーリング１００に固定された複数の引掛刃９が引掛シーリング１００に対して回転することを規制する。ロック用爪８０は、力を加えられてケース３の内側へ変位する。解除釦８３は、ロック用爪８０がケース３の底面２０から外側へ突出しているとき、第一の位置にある。解除釦８３は、ロック用爪８０がケース３の内側に引っ込んでいるとき、第一の位置よりもケース３の内に向かう側の第二の位置にある。解除釦８３は、第一の位置と第二の位置との間でロック用爪８０と連動して変位する。端片８５は、係止部材５が第一の状態であり、かつ、解除釦８３が第二の位置にあるときに、第二の状態であるときの係止部材５の位置にあって、係止部材５が第一の状態から第二の状態になるように変位することを妨げる。変形部８４は、解除釦８３と端片８５とを繋いでいる。端片８５は、解除釦８３が第一の位置にあるとき、解除釦８３に対して、第二の位置側に設けられている。係止部材５が第二の状態にあるときに、解除釦８３が第一の位置から第二の位置へ変位する場合に、端片８５は係止部材５に接し、変形部８４は、解除釦８３から端片８５までの距離を短くするように変形する。
【００３３】
作業者が引掛シーリングアダプタ１を掴んで引掛シーリング１００に取り付ける際に、係止部材５を握って係止部材５に力を加えると、係止部材５が内向きに変位して第二の状態になる。本実施形態に係る引掛シーリングアダプタ１は、上記構成により、係止部材５が第二の状態であっても、解除釦８３を第二の位置へ変位させ、底面２０から外側へ突出したロック用爪８０をケース３の内側へ引っ込ませることが可能である。したがって、引掛シーリングアダプタ１は、係止部材５を握った状態であっても引掛シーリング１００に取付け可能であり、取付けの利便性に優れる。
【００３４】
また、係止部材が第二の状態であるときは解除釦を第二の位置へ変位させることができず、引掛シーリングアダプタを引掛シーリング１００に取付け不可能である従来の引掛シーリングアダプタを想定する。このような引掛シーリングアダプタを、係止部材が第二の状態であるときに無理に引掛シーリング１００に取り付けようとすると、引掛シーリング１００の下面１０４からロック機構に無理な力が加わって、ロック機構等が破損するおそれがある。これに対して、本実施形態に係る引掛シーリングアダプタ１では、係止部材５が第二の状態であっても、解除釦８３を第二の位置へ変位させて、引掛シーリング１００に取り付けることができる。したがって、無理な取付けをすることによりロック機構等が破損する事態の発生が抑制される。
【００３５】
また、本実施形態に係る引掛シーリングアダプタ１は、コネクタ部４を更に備える。コネクタ部４は、ケース３の内部において、ケース３の底面２０の中心を含む領域に設けられている。コネクタ部４は、照明器具２００に接続して給電する。引掛シーリングアダプタ１は、係止部材５を２つ備える。２つの係止部材５は、ケース３の中心を挟んで互いに向かい合って設けられている。ロック機構８は端片８５を２つ備える。解除釦８３が第二の位置にあるときに、２つの端片８５の各々は、第二の状態であるときの対応する係止部材５の位置にある。ロック機構８は変形部８４を２つ備える。２つの変形部８４の各々は、対応する端片８５と解除釦８３とを繋いでいる。２つの変形部８４の各々は、対応する係止部材５が第二の状態にあるときに、解除釦８３が第一の位置から第二の位置へ変位する場合、解除釦８３から対応する端片８５までの距離を短くするように変形する。
【００３６】
上記の通り、引掛シーリングアダプタ１では、コネクタ部４は、ケース３の内部においてケース３の底面２０の中心を含む領域に設けられている。これにより、引掛シーリングアダプタ１は、ケース３の周方向について１８０度回転させても、コネクタ部４の方向性が同じである。したがって、照明器具２００の向きが、ケース３の周方向について１８０度異なる２通りのいずれの向きであっても、照明器具２００を引掛シーリングアダプタ１に取り付けることができる。
【００３７】
また、コネクタ部４の占有する空間は、他の部材が設けられている空間や、係止部材５及びロック機構８等が変位する領域と重ならないようにする必要がある。引掛シーリングアダプタ１は、上記の構成を有することにより、ケース３の底面２０の中心付近の領域を有効に利用しており、かつ、各々の部材も機能する。
【００３８】
なお、コネクタ部４は、ケース３の外に設けられていてもよい。例えば、ケース３からケース３の外側へケーブルが引き出されていて、当該ケーブルの先端にコネクタ部４が設けられていてもよい。また、コネクタ部４は、ケース３の内部において、底面２０の中心付近に設けられていなくてもよい。例えば、ケース３の内部において、底面２０のうち、側面２１の近傍に設けられていてもよい。また、係止部材５、操作部７、変形部８４及び端片８５はそれぞれ、１つのみまたは３つ以上備えられていてもよい。
【００３９】
なお、被係止部２０８は溝に限定されない。被係止部２０８は、第一の状態である係止部材５が引っ掛かる構造を有していればよい。例えば、被係止部２０８は、第一の状態である係止部材５の上面が接する面を有していればよい。係止部材５の上面が被係止部２０８の当該面に接して、係止部材５が被係止部２０８に引っ掛かることにより、照明器具２００は、ケース３に対する下向きの変位が規制される。すなわち、照明器具２００はケース３に固定される。
【００４０】
具体的には、被係止部２０８は、下側部分（第一段）に対して上側部分（第二段）が開口２０６の径方向の内向きに突出していることにより、開口２０６の径方向に沿った段差を有する構造であってもよい。この場合において、開口２０６の径方向に沿って被係止部２０８の第一段と第二段とを繋いでいる面に、係止部材５の上面が接して、係止部材５は被係止部２０８に引っ掛かる。または、被係止部２０８は、開口２０６の径方向の内向きに突出した突出部を有していてもよい。この場合において、係止部材５の上面は、被係止部２０８の突出部の下側面に接して、係止部材５は被係止部２０８に引っ掛かる。
【００４１】
なお、解除釦８３の第一の位置及び第二の位置は、ともにケース３の内側にあってもよい。その場合には、引掛シーリングアダプタ１は、ケース３の外部から解除釦８３を押すために器体２に設けられている孔８３１（図４参照）から第二の位置までの距離が、孔８３１から第一の位置までの距離よりも大きいように構成される。したがって、この場合も本実施形態と同様に、「第二の位置は第一の位置よりもケース３の内に向かう側にある」。
【００４２】
また、第一の位置及び第二の位置は、ともにケース３の外側にあってもよい。その場合には、引掛シーリングアダプタ１は、孔８３１から第二の位置までの距離が、孔８３１から第一の位置までの距離よりも小さいように構成される。したがって、この場合も本実施形態と同様に、「第二の位置は第一の位置よりもケース３の内に向かう側にある」。
【００４３】
また、第一の位置がケース３の外側に、第二の位置がケース３の内側にあってもよい。その場合も、「第二の位置が第一の位置よりもケース３の内に向かう側にある」。
【００４４】
また、第一の位置がケース３の外側に、第二の位置がケース３の外面上にあってもよい。その場合も、「第二の位置が第一の位置よりもケース３の内に向かう側にある」。
【００４５】
なお、以上説明した実施形態は本発明の一例である。このため、本発明はこれらの実施形態に限定されず、本発明の趣旨を逸脱しない範囲において種々の変形が可能である。
【符号の説明】
【００４６】
１  引掛シーリングアダプタ
３  ケース
４  コネクタ部
５  係止部材
８  ロック機構
９  引掛刃
２０  底面
２１  側面
５２  一の縁（一部）
８０  ロック用爪
８３  解除釦
８４  変形部
８５  端片
１００  引掛シーリング
１１０  配線
２００  照明器具
２０８  被係止部
Ｌ１、Ｌ２  距離
【図１】
2017228402.tif 000003
【図２】
2017228402.tif 000004
【図３】
2017228402.tif 000005
【図４】
2017228402.tif 000006
【図５】
2017228402.tif 000007
【図６】
2017228402.tif 000008
【図７】
2017228402.tif 000009
【図８】
2017228402.tif 000010